(57)【特許請求の範囲】
【請求項１】
ベースと、
前記ベースの上に設置され、冷媒と液体との間で熱を交換する熱交換器と、
外部の液体管に対して接続可能な第一接続部と、
外部の液体管に対して接続可能な第二接続部と、
前記熱交換器と前記第一接続部との間をつなぐ第一管と、
前記熱交換器と前記第二接続部との間をつなぐ第二管と、
前記ベースに固定され、前記第一接続部及び第二接続部を支持する支持部品と、
を備え、
前記第一管の全長について、前記第一管の各部分の長手方向が、水平か、または前記第一接続部から前記熱交換器へ向かって上りになり、
前記支持部品は、切欠き部を有し、
前記切欠き部に前記第一管及び前記第二管が挿入しており、
前記第一接続部及び第二接続部を含む被支持体をさらに備え、
前記被支持体が前記支持部品に固定されており、
前記被支持体は、前記切欠き部の全体をふさいでいるヒートポンプ装置。
【請求項２】
前記第一管は、前記熱交換器が備える液体流路の最下部に連通する請求項１に記載のヒートポンプ装置。
【請求項３】
前記第二管の全長について、前記第二管の各部分の長手方向が、水平か、または第二接続部から前記熱交換器へ向かって下りになる請求項１または請求項２に記載のヒートポンプ装置。
【請求項４】
組み立てるとき、前記熱交換器、前記第一接続部、第二接続部、前記第一管、及び前記第二管を含むアセンブリを、前記支持部品が取り付けられる前の前記ベースに載せた後、前記切欠き部に前記第一管及び前記第二管が挿入するようにして前記支持部品を固定位置へ取り付け可能である請求項１から請求項３のいずれか一項に記載のヒートポンプ装置。
【請求項５】
前記ベースに前記支持部品を固定する第一ネジと、
前記支持部品に前記被支持体を固定する第二ネジと、
を備え、
前記第一ネジ及び前記第二ネジを同一の方向から締め付け可能である請求項１から請求項４のいずれか一項に記載のヒートポンプ装置。
【請求項６】
前記切欠き部は、前記支持部品の側部に開口を有する請求項１から請求項５のいずれか一項に記載のヒートポンプ装置。
【請求項７】
前記液体を抜き取るための排出部を前記第一接続部の近くに備える請求項１から請求項６のいずれか一項に記載のヒートポンプ装置。
【発明の詳細な説明】
【技術分野】
【０００１】
本発明は、ヒートポンプ装置に関する。
【背景技術】
【０００２】
低温熱源（例えば外気）の熱を吸収して液体（例えば水）を加熱するヒートポンプ装置（例えばヒートポンプ給湯機）が広く用いられている。ヒートポンプ給湯機の使用を長期間休止する場合に、内部の水の凍結による破損などを防止するために、ヒートポンプ給湯機の内部の水を抜き取ることがある。【０００３】
下記特許文献１に開示されたヒートポンプ給湯機は、管接続具入口、管接続具出口、空気抜き栓、及び水抜き栓を備える。空気抜き栓は、管接続具出口に設置されている。管接続具入口は、貯湯タンク等からヒートポンプ給湯機へ水を供給する管が接続可能な接続部である。管接続具出口は、ヒートポンプ給湯機で加熱された湯を貯湯タンク等へ供給する管が接続可能な接続部である。水抜き栓は、管接続具入口及び管接続具出口より低い位置に設置されている。このヒートポンプ給湯機では、空気抜き栓及び水抜き栓を開くことで、内部の水を抜き取ることができる。
【先行技術文献】
【特許文献】
【０００４】
【特許文献１】日本特開２０１４−７７６３５号公報
【発明の概要】
【発明が解決しようとする課題】
【０００５】
上記従来のヒートポンプ給湯機では、管接続具入口及び管接続具出口から離れた、低い位置に水抜き栓がある。このヒートポンプ給湯機の内部で、管接続具入口または管接続具出口につながる水管から分岐した管が水抜き栓に接続される。このような構成は、部品点数が多いため、製品コストが高くなったり、組立性が悪化したりする。【０００６】
本発明は、上述のような課題を解決するためになされたもので、液体を抜き取るための構造を簡単にできるヒートポンプ装置を提供することを目的とする。
【課題を解決するための手段】
【０００７】
本発明のヒートポンプ装置は、ベースと、ベースの上に設置され、冷媒と液体との間で熱を交換する熱交換器と、外部の液体管に対して接続可能な第一接続部と、外部の液体管に対して接続可能な第二接続部と、熱交換器と第一接続部との間をつなぐ第一管と、熱交換器と第二接続部との間をつなぐ第二管と、ベースに固定され、第一接続部及び第二接続部を支持する支持部品と、を備え、第一管の全長について、第一管の各部分の長手方向が、水平か、または第一接続部から熱交換器へ向かって上りになり、支持部品は、切欠き部を有し、切欠き部に第一管及び第二管が挿入しており、第一接続部及び第二接続部を含む被支持体をさらに備え、被支持体が支持部品に固定されており、被支持体は、切欠き部の全体をふさいでいるものである。
【発明の効果】
【０００８】
本発明のヒートポンプ装置によれば、熱交換器と第一接続部との間をつなぐ第一管の全長について、第一管の各部分の長手方向が、水平か、または熱交換器へ向かって上りになることで、液体を抜き取るための構造を簡単にすることが可能となる。
【図面の簡単な説明】
【０００９】
【図１】本発明の実施の形態１のヒートポンプ装置を適用したヒートポンプ給湯機を示す分解斜視図である。
【図２】本発明の実施の形態１のヒートポンプ給湯機が備えるベース、水−冷媒熱交換器、第一接続部及び第二接続部等を含む分解斜視図である。
【図３】本発明の実施の形態１のヒートポンプ給湯機の正面図である。
【図４】図３中の矢印Ａの方向から見た図である。
【図５】本発明の実施の形態１のヒートポンプ給湯機を組み立てるときに、ベースに被支持体及び支持部品を固定する手順を示す分解斜視図である。
【図６】本発明の実施の形態１のヒートポンプ給湯機を組み立てるときに、ベースに被支持体及び支持部品を固定する手順を示す分解斜視図である。
【図７】本発明の実施の形態１のヒートポンプ給湯機のベース、被支持体及び支持部品の固定箇所を示す断面図である。
【図８】比較例のヒートポンプ給湯機の正面図である。
【図９】図８中の矢印Ｂの方向から見た図である。
【発明を実施するための形態】
【００１０】
以下、図面を参照して本発明の実施の形態について説明する。各図において共通する要素には、同一の符号を付して、重複する説明を簡略化または省略する。なお、本発明は、以下の実施の形態に限定されるものではなく、本発明の主旨を逸脱しない範囲で種々に変形することが可能である。本発明における装置、器具、及び部品等の、個数、配置、向き、形状、及び大きさは、原則として、図面に示す個数、配置、向き、形状、及び大きさに限定されない。
【００１１】
実施の形態１．
図１は、本発明の実施の形態１のヒートポンプ装置を適用したヒートポンプ給湯機を示す分解斜視図である。図１に示す本実施の形態１のヒートポンプ給湯機１は、ヒートポンプサイクル（冷凍サイクル）の動作を行う冷媒回路を用いて水を加熱する装置である。ヒートポンプ給湯機１は、ヒートポンプ装置の例である。なお、本発明のヒートポンプ装置が加熱する液体（液状熱媒体）は、水に限定されない。本発明のヒートポンプ装置が加熱する液体は、ブライン（例えば塩化カルシウム水溶液、エチレングリコール水溶液、アルコールなど）でも良い。本実施の形態のヒートポンプ給湯機１は、室外に設置される。図１を含め、本実施の形態の図面では、ヒートポンプ給湯機１が備える機器の一部の図示を省略する。
【００１２】
図１中の左下がヒートポンプ給湯機１の前方であり、図１中の右上がヒートポンプ給湯機１の後方である。ヒートポンプ給湯機１は、ベース２、第一パネル３ａ、第二パネル３ｂ、及び上面パネル３ｃを備える。ベース２、第一パネル３ａ、第二パネル３ｂ、及び上面パネル３ｃは、ヒートポンプ給湯機１の外郭すなわち筐体を構成する。ベース２、第一パネル３ａ、第二パネル３ｂ、及び上面パネル３ｃは、金属製が好ましい。ベース２は、ヒートポンプ給湯機１の底部を構成する。ベース２は、ヒートポンプ給湯機１の構成機器を載せる台としての機能を有する。第一パネル３ａは、ヒートポンプ給湯機１の前面及び左側面を覆う。第二パネル３ｂは、ヒートポンプ給湯機１の後面の一部及び右側面を覆う。上面パネル３ｃは、ヒートポンプ給湯機１の上面を覆う。
【００１３】
ヒートポンプ給湯機１は、圧縮機６、送風機７、空気−冷媒熱交換器８、及び水−冷媒熱交換器９を備える。図１では、水−冷媒熱交換器９は、ケース部１９で覆われているため、見えない。圧縮機６は、冷媒ガスを圧縮する。水−冷媒熱交換器９は、水と、圧縮機６で圧縮された高圧冷媒との間で熱を交換することで水を加熱する。水−冷媒熱交換器９を通過した高圧冷媒は、例えば膨張弁のような減圧装置（図示省略）を通過することで減圧され、低圧気液二相の状態になる。空気−冷媒熱交換器８は、減圧装置を通過した低圧冷媒を蒸発させる蒸発器である。送風機７は、外気が空気−冷媒熱交換器８を通過するように送風する。空気−冷媒熱交換器８は、外気と低圧冷媒との間で熱を交換することで低圧冷媒を蒸発させる。空気−冷媒熱交換器８を通過することで蒸発した低圧冷媒ガスは、圧縮機６に吸入される。なお、本発明における蒸発器は、空気−冷媒熱交換器８に限定されない。本発明における蒸発器は、外気以外の熱源（例えば、地下水、排水、太陽熱温水など）と冷媒との間で熱を交換するものでも良い。冷媒は、特に限定されないが、例えばＣＯ２が好ましい。
【００１４】
空気−冷媒熱交換器８は、ヒートポンプ給湯機１の後面及び左側面を覆うように配置される。空気−冷媒熱交換器８と第一パネル３ａとの間に送風機７が配置される。本実施の形態における送風機７は、プロペラファンを備える。ヒートポンプ給湯機１の外郭の内部は、送風機７がある送風機室と、機械室５とに区画されている。仕切板４が送風機室と機械室５とを隔てる。送風機室は、ヒートポンプ給湯機１の左側面を含む。機械室５は、ヒートポンプ給湯機１の右側面を含む。水−冷媒熱交換器９は、送風機７の下に配置される。すなわち、水−冷媒熱交換器９は、送風機室の下部に配置される。
【００１５】
第一パネル３ａは、送風機７と対向する位置に開口３ｄを有する。送風機７で送風される外気が開口３ｄを通過可能である。開口３ｄを覆う格子３ｅが第一パネル３ａに取り付けられる。
【００１６】
機械室５には、圧縮機６、上記減圧装置、冷媒吸入管、及び冷媒吐出管等が配置される。ヒートポンプ給湯機１の右側面の機械室５の下部から、第一接続部１０ａ及び第二接続部１０ｂが突出している。第一接続部１０ａは、外部の液体管（図示省略）に対して接続可能である。第一接続部１０ａは、ヒートポンプ給湯機１の運転時に液体（水）が流入する開口を有する。第二接続部１０ｂは、外部の液体管（図示省略）に対して接続可能である。第二接続部１０ｂは、ヒートポンプ給湯機１の運転時に液体（水）が流出する開口を有する。本実施の形態では、ヒートポンプ給湯機１へ水を供給する入水管（図示省略）が第一接続部１０ａに接続される。ヒートポンプ給湯機１で加熱された湯を他の機器へ供給する出湯管（図示省略）が第二接続部１０ｂに接続される。
【００１７】
ヒートポンプ給湯機１は、電気部品収納箱１２を備える。電気部品収納箱１２は、送風機室の上部の一部及び機械室５の上部を占める空間に配置される。電気部品収納箱１２は、例えば、圧縮機６及び送風機７を駆動するモーターを駆動制御するインバータ電源等の電気部品を収納する。電気部品収納箱１２の近くには端子台１３がある。外部の電気配線を接続する時に端子台１３が用いられる。サービスパネル１４が第二パネル３ｂに対して着脱可能に取り付けられる。サービスパネル１４は、端子台１３を保護する。サービスパネル１４の下には、接続部カバー１５が第二パネル３ｂに対して着脱可能に取り付けられる。接続部カバー１５は、第一接続部１０ａ及び第二接続部１０ｂを保護する。
【００１８】
図２は、本発明の実施の形態１のヒートポンプ給湯機１が備えるベース２、水−冷媒熱交換器９、第一接続部１０ａ及び第二接続部１０ｂ等を含む分解斜視図である。図２に示すように、ベース２の下に複数の脚２３が固定されている。脚２３を設置面に固定することでヒートポンプ給湯機１が据え付けられる。本実施の形態の説明では、ヒートポンプ給湯機１が水平な設置面に据え付けられたと仮定して、各部の傾きなどを定義する。
【００１９】
水−冷媒熱交換器９は、ベース２の上に設置される。水−冷媒熱交換器９は、断熱容器１６に収納される。断熱容器１６に収納された水−冷媒熱交換器９の上面は、断熱蓋１８で覆われる。断熱容器１６及び断熱蓋１８は、断熱材（例えば、発泡プラスチック）で作られている。断熱容器１６及び断熱蓋１８の外側を金属製のケース部１７及びケース部１９が覆う。ケース部１７は、ベース２に固定されている。ケース部１７は、断熱容器１６の後面及び左側面を含む領域を覆う。ケース部１９は、ケース部１７に対して着脱可能である。ケース部１９は、断熱容器１６の前面及び断熱蓋１８の上面を含む領域を覆う。
【００２０】
ヒートポンプ給湯機１は、被支持体１０、支持部品１１、第一管２１、及び第二管２２を備える。被支持体１０、支持部品１１、第一管２１、及び第二管２２は、金属製が好ましい。支持部品１１は、ベース２に固定される。図２は、支持部品１１をベース２に取り付ける前の状態を示す。支持部品１１は、第一接続部１０ａ及び第二接続部１０ｂを支持する。本実施の形態では、被支持体１０が第一接続部１０ａ及び第二接続部１０ｂを含む。被支持体１０は、支持部品１１に固定される。図２は、被支持体１０を支持部品１１に固定する前の状態を示す。被支持体１０が第一接続部１０ａ及び第二接続部１０ｂを含むことで、第一接続部１０ａ及び第二接続部１０ｂが一体化している。
【００２１】
第一接続部１０ａの位置は、第二接続部１０ｂの位置より低い。本発明では、第一接続部１０ａの位置と、第二接続部１０ｂの位置とが同じ高さでも良い。
【００２２】
第一管２１は、水−冷媒熱交換器９の水入口と、第一接続部１０ａとの間をつなぐ。第二管２２は、水−冷媒熱交換器９の水出口と、第二接続部１０ｂとの間をつなぐ。貯湯タンクを備えたタンクユニット（図示省略）と、ヒートポンプ給湯機１とを備えた貯湯式給湯システムは、以下のように構成される。タンクユニットとヒートポンプ給湯機１とは、入水管及び出湯管を介して接続される。当該入水管（図示省略）は、第一接続部１０ａに接続される。当該出湯管（図示省略）は、第二接続部１０ｂに接続される。貯湯タンクに蓄熱する運転を行うときには、タンクユニットに内蔵された水ポンプ（図示省略）により、貯湯タンク内の下部の水が、上記入水管、第一接続部１０ａ、及び第一管２１を経由して、水−冷媒熱交換器９に流入する。そして、水−冷媒熱交換器９で加熱された湯が、第二管２２、第二接続部１０ｂ、及び上記出湯管を経由して、貯湯タンク内の上部に流入する。
【００２３】
なお、本発明のヒートポンプ装置は、貯湯式給湯システムに用いられるものに限定されない。本発明のヒートポンプ装置は、例えば、暖房を行うために循環する液体（液状熱媒体）を加熱する装置などにも適用できる。
【００２４】
第一接続部１０ａの近くには、第一栓２４が取り付けられる。第二接続部１０ｂの近くには、第二栓２５が取り付けられる。図２は、第一栓２４及び第二栓２５を取り付ける前の状態を示す。
【００２５】
詳細な図示を省略するが、本実施の形態における水−冷媒熱交換器９は、以下のような構造を有する。水−冷媒熱交換器９は、水流路となる水管及び冷媒流路となる冷媒管を有する。水管及び冷媒管は、互いに密着して接合されている。冷媒管は、水管の外周に、つるまき状に巻き付いている。なお、本発明において、液体と冷媒との間で熱を交換する熱交換器の構造は、上述した水−冷媒熱交換器９のような構造に限定されず、いかなる構造でも良い。
【００２６】
図３は、本発明の実施の形態１のヒートポンプ給湯機１の正面図である。図３では、第一パネル３ａ、第二パネル３ｂ、及び上面パネル３ｃ、仕切板４、圧縮機６、電気部品収納箱１２などの機器の図示を省略している。図４は、図３中の矢印Ａの方向から見た図である。図４では、ベース２、第一管２１、及び第二管２２の断面を示す。
【００２７】
図３及び図４に示すように、第一管２１の全長について、第一管２１の各部分の長手方向は、水平になる。また、第二管２２の全長について、第二管２２の各部分の長手方向は、水平になる。図３に示すように、第一接続部１０ａの下部に第一栓２４が取り付けられている。第二接続部１０ｂの下部に第二栓２５が取り付けられている。第一栓２４及び第二栓２５は、通常時は閉じられている。
【００２８】
ヒートポンプ給湯機１の使用を長期間休止するような場合に、ヒートポンプ給湯機１の内部の水を抜き取ることがある。ヒートポンプ給湯機１の内部の水を抜き取ることで、水の凍結による管などの破損を防止できる。
【００２９】
本実施の形態のヒートポンプ給湯機１の内部の水を抜き取る方法を以下に説明する。まず、第一栓２４及び第二栓２５を開く。第一栓２４を開くことで、第一接続部１０ａの内部の流路が第一栓２４を介して外部に連通する。第二栓２５を開くことで、第二接続部１０ｂの内部の流路が第二栓２５を介して外部に連通する。次に、空気入れ等を用いて第二栓２５から第二接続部１０ｂの内部へ空気を送り込む。この送り込まれた空気により、第二管２２、水−冷媒熱交換器９、及び第一管２１の内部の水が押し出され、第一栓２４から外部へ排出される。以上のようにして、ヒートポンプ給湯機１の内部の水を抜き取ることができる。ヒートポンプ給湯機１の内部の水を抜き取ることを以下「水抜き処理」とも呼ぶ。
【００３０】
本実施の形態であれば、水抜き処理において水が水−冷媒熱交換器９から第一管２１を通って第一接続部１０ａに向かうときに、第一管２１が上りになる部分が存在しない。このため、水は第一管２１を円滑に流れて第一栓２４から排出される。よって、本実施の形態であれば、水抜き処理において第一管２１の内部に水が残存することを確実に抑制できる。
【００３１】
本実施の形態であれば、第一管２１の途中から分岐させた管を、第一接続部１０ａとは別個に設けた排出部に接続するような構造が不要である。そのため、部品点数が少なく、製品コストを低くできる。組立性も良好にできる。
【００３２】
第一管２１は、水−冷媒熱交換器９が備える水流路（液体流路）の最下部に連通することが望ましい。水−冷媒熱交換器９が備える水流路の最下部に第一管２１が連通していれば、水抜き処理において、水−冷媒熱交換器９の内部に水が残存することをより確実に抑制できる。
【００３３】
本実施の形態では、第二管２２の全長について、第二管２２の各部分の長手方向が水平になることで、以下のような効果が得られる。水抜き処理のとき、第二管２２の高低差による圧力差が第二管２２の内部に発生することを抑制できる。このため、第二管２２、水−冷媒熱交換器９、及び第一管２１の内部の水をより円滑に押し出すことができ、水抜き処理の作業性がより良好になる。第二管２２の全長について、第二管２２の各部分の長手方向が、水平か、または第二接続部１０ｂから水−冷媒熱交換器９へ向かって下りになれば、上記と類似の効果が得られる。すなわち、第二管２２の全長について、第二管２２の長手方向が、第二接続部１０ｂから水−冷媒熱交換器９へ向かって上りになる部分を含まないものであれば、上記と類似の効果が得られる。
【００３４】
なお、第一栓２４は、液体を抜き取るための排出部の例である。第二栓２５は、液体を抜き取るための空気取り入れ部の例である。本発明は、排出部及び空気取り入れ部を備える構成に限定されない。本発明では、水抜き処理のとき、第一接続部１０ａと外部の液体管との接続を外すことで液体を排出しても良い。この場合、第一栓２４のような排出部は無くても良い。本発明では、水抜き処理のとき、第二接続部１０ｂと外部の液体管との接続を外すことで空気を取り入れても良い。この場合、第二栓２５のような空気取り入れ部は無くても良い。
【００３５】
図５及び図６は、本発明の実施の形態１のヒートポンプ給湯機１を組み立てるときに、ベース２に被支持体１０及び支持部品１１を固定する手順を示す分解斜視図である。図７は、本発明の実施の形態１のヒートポンプ給湯機１のベース２、被支持体１０及び支持部品１１の固定箇所を示す断面図である。
【００３６】
図５に示すように、被支持体１０は、第一接続部１０ａ、第二接続部１０ｂ、孔１０ｃ、孔１０ｄ、栓取付部１０ｅ、及び栓取付部１０ｆを備える。孔１０ｃ及び孔１０ｄは、支持部品１１に被支持体１０を固定する第二ネジ２７のための孔である。栓取付部１０ｅは、第一接続部１０ａの下部に形成されている。栓取付部１０ｅに第一栓２４が取り付けられる。栓取付部１０ｆは、第二接続部１０ｂの下部に形成されている。栓取付部１０ｆに第二栓２５が取り付けられる。なお、図５から図７は、第一栓２４及び第二栓２５を栓取付部１０ｅ及び栓取付部１０ｆに取り付ける前の状態を示す。
【００３７】
図５に示すように、支持部品１１は、切欠き部１１ａ、孔１１ｂ、孔１１ｃ、及び孔１１ｄを備える。支持部品１１は、切欠き部１１ａが切り取られたような形状を呈する。切欠き部１１ａは、支持部品１１の側部に開口１１ｅを有する。孔１１ｂは、ベース２に支持部品１１を固定する第一ネジ２６のための孔である。ベース２は、第一ネジ２６のための孔２ａを有する。孔１１ｃ及び孔１１ｄは、支持部品１１に被支持体１０を固定する第二ネジ２７のための孔である。
【００３８】
第一管２１及び第二管２２は、被支持体１０に対して、例えばロウ付けにより固定される。本実施の形態のヒートポンプ給湯機１を組み立てるときには、水−冷媒熱交換器９をベース２に載せる前に、第一管２１及び第二管２２を被支持体１０に固定する。すなわち、水−冷媒熱交換器９をベース２に載せる前に、水−冷媒熱交換器９、被支持体１０、第一管２１、及び第二管２２を含むアセンブリを組み立てる。その後、支持部品１１が取り付けられる前のベース２に上記アセンブリを載せる。図５は、支持部品１１が取り付けられる前のベース２に上記アセンブリを載せた状態を示す。上記アセンブリをベース２に載せることで、水−冷媒熱交換器９及びそれに接続された部品すべての位置決めを行うことができる。本実施の形態では、ベース２の上に設置された断熱容器１６内に水−冷媒熱交換器９が入るように上記アセンブリをベース２に載せることで、ベース２に対して上記アセンブリを位置決めできる。
【００３９】
支持部品１１が取り付けられる前のベース２に上記アセンブリを載せた後、切欠き部１１ａに第一管２１及び第二管２２が挿入するようにして、支持部品１１を、適正な固定位置へ取り付け可能である。このとき、本実施の形態では、図５中の破線の矢印のように、支持部品１１を側方へスライドさせるようにして、適正な固定位置へ支持部品１１を取り付け可能である。図６及び図７は、適正な固定位置へ支持部品１１を取り付けた状態を示す。
【００４０】
図７に示すように、適正な固定位置へ支持部品１１を取り付けた状態は、以下のようになる。支持部品１１の孔１１ｂの位置が、ベース２の孔２ａの位置に一致する。支持部品１１の孔１１ｃの位置が、被支持体１０の孔１０ｃの位置に一致する。支持部品１１の孔１１ｄの位置が、被支持体１０の孔１０ｄの位置に一致する。
【００４１】
図６に示すように、支持部品１１の孔１１ｂとベース２の孔２ａとが重なった孔に第一ネジ２６を取り付けて締め付けることで、ベース２に支持部品１１を固定できる。支持部品１１の孔１１ｃと被支持体１０の孔１０ｃとが重なった孔、及び、支持部品１１の孔１１ｄと被支持体１０の孔１０ｄとが重なった孔に、第二ネジ２７をそれぞれ取り付けて締め付けることで、被支持体１０を支持部品１１に固定できる。以上のようにして、第一接続部１０ａ及び第二接続部１０ｂを含む被支持体１０を、支持部品１１を介して、ベース２に固定できる。
【００４２】
本実施の形態であれば、第一管２１及び第二管２２を固定するためのロウ付けをベース２の上で行う必要がない。このため、組み立てのときにロウがベース２の上に垂れるおそれがないので、作業性が良好になる。
【００４３】
本実施の形態であれば、図６に示すように、第一ネジ２６及び第二ネジ２７を同一の方向から締め付け可能である。このため、組み立ての作業性が良好になる。
【００４４】
図６に示すように、組み立てた状態では、被支持体１０は、支持部品１１の切欠き部１１ａの全体をふさぐ。このため、本実施の形態のヒートポンプ給湯機１であれば、支持部品１１の切欠き部１１ａから虫または異物が機械室５に侵入することを確実に抑制できる。なお、図１に示すように、第二パネル３ｂは、支持部品１１に対応した形状の切欠き部３ｆを有する。第二パネル３ｂを取り付けた状態では、切欠き部３ｆと支持部品１１とが隙間なく接触する。このため、支持部品１１の周囲から虫または異物が機械室５に侵入することを確実に抑制できる。
【００４５】
本実施の形態であれば、支持部品１１の切欠き部１１ａが側部に開口１１ｅを有することで、図５中の破線の矢印のように、支持部品１１を側方へスライドさせるようにして、切欠き部１１ａに第一管２１及び第二管２２が挿入できる。このため、適正な固定位置へ支持部品１１を容易に取り付け可能である。なお、本発明における支持部品の切欠き部は、側部に開口を有するものに限定されない。例えば、本発明における支持部品の切欠き部は、下部に開口を有するものでも良い。その場合、支持部品を上から下に移動させることで支持部品を適正な固定位置へ取り付けできる。
【００４６】
本発明は、第一管２１の全長について、第一管２１の各部分の長手方向が水平になるものに限定されない。本発明では、第一管２１の全長について、第一管２１の各部分の長手方向が、水平か、または第一接続部１０ａから水−冷媒熱交換器９へ向かって上りになれば良い。例えば、第一管２１は、長手方向が水平になる部分と、長手方向が第一接続部１０ａから水−冷媒熱交換器９へ向かって上りになる部分とを含んでも良い。すなわち、第一管２１の全長について、第一管２１の長手方向が第一接続部１０ａから水−冷媒熱交換器９へ向かって下りになる部分を含まなければ良い。そのような構成であれば、水抜き処理において第一管２１の内部に水が残存することを確実に抑制できる。そのような構成であれば、第一管２１の途中から分岐させた管を、第一接続部１０ａとは別個に設けた排出部に接続するような構造が不要である。そのため、部品点数が少なく、製品コストを低くできる。組立性も良好にできる。
【００４７】
本実施の形態では、一つの被支持体１０が第一接続部１０ａ及び第二接続部１０ｂを含むことで、第一接続部１０ａ及び第二接続部１０ｂが一体化している。当該構成であれば、第一接続部１０ａの位置を第二接続部１０ｂの位置に近くできる。当該構成であれば、支持部品１１及び被支持体１０を小型化できる。
【００４８】
次に、図８及び図９を参照して、比較例のヒートポンプ給湯機について説明するが、実施の形態１のヒートポンプ給湯機１との相違点を中心に説明し、同一部分または相当部分は同一名称を付し説明を簡略化または省略する。図８は、比較例のヒートポンプ給湯機の正面図である。図９は、図８中の矢印Ｂの方向から見た図である。
【００４９】
図８に示すように、比較例のヒートポンプ給湯機１００は、ベース２に固定される支持部品１０５を備える。支持部品１０５は、第一接続部１０ａ及び第二接続部１０ｂを支持する。第一管１０１は、水−冷媒熱交換器９の水入口と、第一接続部１０ａとの間をつなぐ。第二管１０２は、水−冷媒熱交換器９の水出口と、第二接続部１０ｂとの間をつなぐ。第一管１０１は、セクション１０１ａ及びセクション１０１ｂを備える。セクション１０１ａは、水−冷媒熱交換器９につながる。セクション１０１ｂは、第一接続部１０ａにつながる。第二管１０２は、セクション１０２ａ及びセクション１０２ｂを備える。セクション１０２ａは、水−冷媒熱交換器９につながる。セクション１０２ｂは、第二接続部１０ｂにつながる。第二接続部１０ｂの下部に栓１０７が取り付けられている。栓１０７は、液体を抜き取るための空気取り入れ部の例である。
【００５０】
支持部品１０５は、水抜き栓１０９をさらに支持する。水抜き栓１０９は、第一接続部１０ａ及び第二接続部１０ｂより低い位置にある。水抜き栓１０９は、液体を抜き取るための排出部の例である。分岐管１０８は、第一管１０１の途中から分岐する。分岐管１０８は、水抜き栓１０９に接続される。
【００５１】
比較例のヒートポンプ給湯機１００の水抜き処理は、以下のようにして行う。まず、栓１０７及び水抜き栓１０９を開く。次に、空気入れ等を用いて栓１０７から第二接続部１０ｂの内部へ空気を送り込む。この送り込まれた空気により、第二管１０２、水−冷媒熱交換器９、第一管１０１、及び分岐管１０８の内部の水が押し出され、水抜き栓１０９から外部へ排出される。
【００５２】
図９に示すように、第一接続部１０ａを含む被支持体１０３がネジ１０６で支持部品１０５に固定される。第二接続部１０ｂを含む被支持体１０４がネジ１０６で支持部品１０５に固定される。
【００５３】
比較例のヒートポンプ給湯機１００を組み立てるときは、以下のようにする。第一接続部１０ａ（被支持体１０３）、第二接続部１０ｂ（被支持体１０４）、第一管１０１のセクション１０１ｂ、第二管１０２のセクション１０２ｂ、及び支持部品１０５を含むアセンブリが、予め組み立てられる。次に、ベース２に水−冷媒熱交換器９を載せる。この水−冷媒熱交換器９には、第一管１０１のセクション１０１ａ及び第二管１０２のセクション１０２ａがつながっている。次に、上記アセンブリの支持部品１０５をベース２にネジで固定する。その後、第一管１０１のセクション１０１ａとセクション１０１ｂとの間をロウ付け位置１０１ｃにてロウ付けすることで固定する。また、第二管１０２のセクション１０２ａとセクション１０２ｂとの間をロウ付け位置１０２ｃにてロウ付けすることで固定する。
【００５４】
図９に示すように、第一管１０１のロウ付け位置１０１ｃ及びその近くの部分の長手方向は、鉛直方向である。第二管１０２のロウ付け位置１０２ｃ及びその近くの部分の長手方向は、鉛直方向である。ロウ付け位置１０１ｃ及びロウ付け位置１０２ｃをロウ付けするときにロウが垂れ落ちることを防止するために、このような構成にする必要がある。当該構成に起因して、第一接続部１０ａ及び第二接続部１０ｂの位置が高くなる。その結果、第一接続部１０ａから離れた低い位置に、液体を抜き取るための排出部（水抜き栓１０９）を別個に設けることが必要になる。第一管１０１は、長手方向が第一接続部１０ａから水−冷媒熱交換器９へ向かって下りになる部分１０１ｄを含む。
【００５５】
比較例のヒートポンプ給湯機１００では、第一管１０１の途中から分岐させた分岐管１０８を、第一接続部１０ａとは別個に設けた排出部（水抜き栓１０９）に接続することが必要である。そのため、部品点数が多く、製品コストが高く、組立性も悪い。
【００５６】
比較例のヒートポンプ給湯機１００では、水抜き処理のとき、分岐管１０８が分岐する部分と、第一接続部１０ａとの間の第一管１０１の内部に水が残存しやすい。このため、残存した水の凍結によって第一管１０１等が破損することを確実に抑制することが困難である。
【符号の説明】
【００５７】
１  ヒートポンプ給湯機、  ２  ベース、  ２ａ  孔、  ３ａ  第一パネル、  ３ｂ  第二パネル、  ３ｃ  上面パネル、  ３ｄ  開口、  ３ｅ  格子、  ３ｆ  切欠き部、  ４  仕切板、  ５  機械室、  ６  圧縮機、  ７  送風機、  ８  空気−冷媒熱交換器、  ９  水−冷媒熱交換器、  １０  被支持体、  １０ａ  第一接続部、  １０ｂ  第二接続部、  １０ｃ  孔、  １０ｄ  孔、  １０ｅ  栓取付部、  １０ｆ  栓取付部、  １１  支持部品、  １１ａ  切欠き部、  １１ｂ  孔、  １１ｃ  孔、  １１ｄ  孔、  １１ｅ  開口、  １２  電気部品収納箱、  １３  端子台、  １４  サービスパネル、  １５  接続部カバー、  １６  断熱容器、  １７  ケース部、  １８  断熱蓋、  １９  ケース部、  ２１  第一管、  ２２  第二管、  ２３  脚、  ２４  第一栓、  ２５  第二栓、  ２６  第一ネジ、  ２７  第二ネジ、  １００  ヒートポンプ給湯機、  １０１  第一管、  １０１ａ  セクション、  １０１ｂ  セクション、  １０１ｃ  ロウ付け位置、  １０２  第二管、  １０２ａ  セクション、  １０２ｂ  セクション、  １０２ｃ  ロウ付け位置、  １０３  被支持体、  １０４  被支持体、  １０５  支持部品、  １０６  ネジ、  １０７  栓、  １０８  分岐管、  １０９  水抜き栓
【図１】
0006489211.tif 000002
【図２】
0006489211.tif 000003
【図３】
0006489211.tif 000004
【図４】
0006489211.tif 000005
【図５】
0006489211.tif 000006
【図６】
0006489211.tif 000007
【図７】
0006489211.tif 000008
【図８】
0006489211.tif 000009
【図９】
0006489211.tif 000010